(57)【要約】      （修正有）【課題】地震等の振動を受けても容易に崩壊することのない、組立が容易で簡明な構成の墓所の外柵を提供する。【解決手段】各親柱１の後面と脇腰石２、脇均し石３及び脇羽目石４の前端と、脇羽目石４の後端と各擬宝珠柱の前側面と、裏羽目石の両端部と各擬宝珠柱の内側面とを、各親柱１の後面、各擬宝珠柱の前側面又は内側面、脇腰石２の後端内面及び裏均し石の両端前面には、各々奥に向かって拡大するほぞ穴１ａ、１ｂ、１ｃを形成し、脇腰石２、脇均し石３及び脇羽目石４の前端、脇腰石２の後端内面、脇均し石３の後端、脇羽目石４の後端並びに裏羽目石の両端部には、先端に向かってのみ拡大するほぞ２ａ、３ａ、４ａを形成し、対応する相互のほぞとほぞ穴とを無収縮モルタルを介在させて嵌合させることで結合して構成した墓所の外柵。【選択図】図１
0003119743.tif 000002
【実用新案登録請求の範囲】
【請求項１】
墓所の境界に沿って複数の石材を配して構成した墓所の外柵であって、
隣接する石材の一方に先端に向かって拡大する拡大部を備えたほぞを形成し、隣接する他方の石材に該ほぞを嵌合させ得る内部に向かって拡大する拡大係合部を備え、かつその上下又は左右のいずれかの部位に該ほぞの拡大部の通過可能な通過空間を併せて備えたほぞ穴を形成し、隣接する石材相互を、接着剤を介在させつつ該ほぞと該ほぞ穴とを嵌合することより結合することにした墓所の外柵。
【請求項２】
前記石材として、墓所の前両側隅部に立設する親柱と、各々両側の側柵部を構成すべく下方から順次重ねて配する腰石、均し石及び羽目石と、後部の後柵部を構成すべく下方から順次重ねて配する腰石、均し石及び羽目石と、後部両側隅部で均し石上に立設する擬宝珠柱とを採用し、
前記各親柱の後面と前記両側柵部の腰石、均し石及び羽目石の前端との結合、前記両側柵部の羽目石の後端と前記各擬宝珠柱の対応する側面との結合、前記後柵部の羽目石の両端部と前記各擬宝珠柱の対応する側面との結合を、
前記各親柱の後面及び各擬宝珠柱の前側面及び内側面には、対応する数及び位置で、各々奥に向かって上下いずれかの方向にのみ拡大する拡大係合部を持ったほぞ穴を形成し、
前記両側柵部の腰石、均し石及び羽目石の前端と、前記両側柵部の羽目石の後端と、前記後柵部の羽目石の両端部とには、先端に向かって前記ほぞ穴に対応する上下いずれかの方向にのみ拡大する拡大部を持ったほぞを形成し、
かつ前記各親柱及び各擬宝珠柱のほぞ穴を奥に向かって拡大する上下いずれかの拡大方向と反対側に開放させるか又は上下への拡大分を越えるようにした通過空間を持たせたものとし、
前記両側柵部の腰石及び均し石の後端と、前記後柵部の腰石及び均し石の両端部とには、いずれか一方の内側面に奥に向かって上下いずれかの方向にのみ拡大する拡大係合部を持ったほぞ穴を形成し、他方の端部前端に先端に向かって該ほぞ穴に対応する上下いずれかの方向にのみ拡大する拡大部を持ったほぞを形成し、
かつ対応するほぞ穴を奥に向かって拡大する上下いずれかの拡大方向と反対側に開放させるか又は上下への拡大分を越える余裕を持たせた通過空間を構成し、
各々対応するほぞとほぞ穴を接着剤を介在させて嵌合することで、確保するものとした請求項１の墓所の外柵。
【請求項３】
前記両親柱の後面の対応する位置及び数のほぞ穴を、下から順に、腰石用ほぞ穴、均し石用ほぞ穴及び羽目石用ほぞ穴とし、かつそれらの底面が奥に向かって下向き傾斜の拡大係合部となり、また天井面及び側面がストレートな横向きであり、これに各対応するほぞを装入した状態で、該ほぞの上面と天井面との間に、該拡大係合部の傾斜最上部と最下部との高さ寸法以上の間隔を持った通過空間を備えたものに形成し、
前記両側柵部の腰石、均し石及び羽目石の各前端のほぞを、前記両親柱の各対応する腰石用ほぞ穴、均し石用ほぞ穴又は羽目石用ほぞ穴の底面の傾斜に対応する傾斜下面を持った拡大部とし、両側面及び上面がストレートであるものに形成し、
前記両側柵部の腰石の後端には、その内面に底面が奥に向かって下向き傾斜の拡大係合部を備え、両側面がストレートで上部開放の通過空間を持ったほぞ穴を形成し、
前記後柵部の腰石の両端には、その下面が、前記側柵部の腰石に形成したほぞ穴の底面に対応する下向き傾斜となる拡大部を持ち、かつ上面が当該の腰石上面から延長するストレートで、両側面もストレートであり、該ほぞ穴に装入した状態で上面が該側柵部の腰石の上面と一致することとなるほぞを形成し、
前記両側柵部の均し石の後端には、上面が後方に向かって上向き傾斜となる拡大部であり、下面が当該の均し石の下面を延長したストレートで、更に両側面がストレートとなるほぞを形成し、
前記後柵部の均し石の両端前面側には、その天井面が該側柵部の均し石のほぞの上面の傾斜に対応する先下がり傾斜の拡大係合部を持ち、両側面がストレートで、下部開放の通過空間を有し、該ほぞを装入させた状態で当該の均し石の上面が該側柵部の均し石の上面と一致することとなるほぞ穴を形成し、
前記両側柵部の羽目石の後端及び前記後柵部の羽目石の両端には、先上がりの傾斜上面を持った拡大部を有し、下面が当該の羽目石の下面を延長したストレートで、両側面もストレートなほぞを形成し、
前記擬宝珠柱の前側面及び内側面には、各々その天井面が前記側柵部又は前記後柵部の羽目石のほぞの上面の傾斜に対応する先下がり傾斜の拡大係合部を有し、両側面がストレートで、下部開放の通過空間を備え、該ほぞを装入させた状態で当該の擬宝珠柱の下面が均し石の上面と一致することとなるほぞ穴を形成し、
前記接着剤として、無収縮モルタルを採用し、これを介在させてそれぞれ対応するほぞをほぞ穴に嵌合して構成した請求項２の墓所の外柵。
【考案の詳細な説明】
【技術分野】
【０００１】
本考案は、墓地の敷地境界線に沿って設置され、隣接する墓地や道路等との境界を明確にすると共に、その内側に配された墓石、墓碑及び卒塔婆等を囲んで装飾するための墓所の外柵に関する。
【背景技術】
【０００２】
墓所の外柵は、古くは、これを構成する親柱、腰石、均し石、羽目石及び擬宝珠柱等の石材を、各々予め配してあるコンクリート基礎上の所定の位置に立ち上げ、または順次積み重ねて構築していたものであり、必要に応じて、基礎との間、若しくは石材相互の間をモルタルを含む接着剤で接合固着していたものである。
【０００３】
しかし内部の墓石等も含めて、これらの外柵は、これを構成する石材相互及びこれらと基礎との結合が不十分であり、若干大きな地震があれば崩壊する虞があり、小さな地震でもそれが繰り返されるとやはり徐々に崩壊する虞のあるものであった。更には冬季に気温が氷点下まで降下する地方では、石材間の水分が凍結して膨張し、石材を所定の位置から移動させてしまう問題も生じている。
【０００４】
そこでこれらに対する改良の提案がなされており、その一は、墓所を構成する外柵を含む石材相互をＬ型の金具やボルト等の連結金具を利用して連結するもの（特許文献１）であり、その二は、墓所の境界に連設配置した石材の隣接する相互をその部位の形状に対応するＬ型又は平形の金具とボルト等とによって連結し、更に相互に平行な辺の石材相互間に索条を張り渡し、張り渡した索条を砂利のような敷設資材で覆ったものである（特許文献２）。
【０００５】
これらは、石材相互を金具類で連結するものであり、相応する強度を得られるはずであるから、容易に地震等によって崩壊しないものとなることが推測されるが、多数の石材相互を接合部位で悉く金具類により接続するものであり、そのための各部の加工及び接続作業の工数が多くなって厄介である問題があり、更にはそれらの金具類の耐久性にも不安がある。屋外の設置物であり、雨水に晒されることも多く、遠からずそれらの腐食の問題が発生するものと思われる。また特許文献２の索条は、外柵を構成する石材の内、最下部のそれには適用可能であるが、それより上部のそれには、該索条が墓地内に露出してしまうことになるため適用不能である問題もある。
【０００６】
その三は、石材相互を、石材毎に決まっている各々特定の臍と称される直方体状の小突起又は大突起を形成し、他方これに対応する石材には対応する臍穴と称せられる直方体状の小穴又は大穴を形成し、各対応する臍を備えた石材を対応する臍穴を備えた石材と、それら相互を嵌合させることで組み立てて外柵を構成したものである（特許文献３）。
【０００７】
これらは、組み立てる石材に構成する臍と臍穴の位置を適切に設定することにより、組み立てた後の外柵の結合が容易に解除されたりしないようにすべきものであり、そのようにすれば、概ねその結果は得られると思われる。しかし接着剤等を使用しないものであり、臍と臍穴の精度を相当程度高めたとしてもそれらの間のガタ付きをなくすことは困難であり、地震等の際には、相互間にガタ付きが生じ、それらの部位でいずれ損傷が発生することとなるのは避けられないものと思われる。従って繰り返す地震により、或いは大きな地震により、いずれ特に結合部の臍又は臍穴付近に大きな損傷が生じ、これに起因する崩壊が開始することになると思われる。
【０００８】
【特許文献１】特公平０８−６５０５号公報
【特許文献２】特開２００３−３２８５９２号公報
【特許文献３】特許第３０２８３０４号公報
【考案の開示】
【考案が解決しようとする課題】
【０００９】
本考案は、以上の従来技術に於ける問題点を解決し、地震等の振動を受けても容易に崩壊することのない、かつ冬季の石材間の水分の凍結によっても容易に動くことのない、強度の高い、しかも組立が容易な簡明な構成の墓所の外柵を提供することを解決の課題とする。
【課題を解決するための手段】
【００１０】
本考案の１は、墓所の境界に沿って複数の石材を配して構成した墓所の外柵であって、
隣接する石材の一方に先端に向かって拡大する拡大部を備えたほぞを形成し、隣接する他方の石材に該ほぞを嵌合させ得る内部に向かって拡大する拡大係合部を備え、かつその上下又は左右のいずれかの部位に該ほぞの拡大部の通過可能な通過空間を併せて備えたほぞ穴を形成し、隣接する石材相互を、接着剤を介在させつつ該ほぞと該ほぞ穴とを嵌合することより結合することにした墓所の外柵である。
【００１１】
本考案の２は、本考案の１の墓所の外柵に於いて、
前記石材として、墓所の前両側隅部に立設する親柱と、各々両側の側柵部を構成すべく下方から順次重ねて配する腰石、均し石及び羽目石と、後部の後柵部を構成すべく下方から順次重ねて配する腰石、均し石及び羽目石と、後部両側隅部で均し石上に立設する擬宝珠柱とを採用し、
前記各親柱の後面と前記両側柵部の腰石、均し石及び羽目石の前端との結合、前記両側柵部の羽目石の後端と前記各擬宝珠柱の対応する側面との結合、前記後柵部の羽目石の両端部と前記各擬宝珠柱の対応する側面との結合を、
前記各親柱の後面及び各擬宝珠柱の前側面及び内側面には、対応する数及び位置で、各々奥に向かって上下いずれかの方向にのみ拡大する拡大係合部を持ったほぞ穴を形成し、
前記両側柵部の腰石、均し石及び羽目石の前端と、前記両側柵部の羽目石の後端と、前記後柵部の羽目石の両端部とには、先端に向かって前記ほぞ穴に対応する上下いずれかの方向にのみ拡大する拡大部を持ったほぞを形成し、
かつ前記各親柱及び各擬宝珠柱のほぞ穴を奥に向かって拡大する上下いずれかの拡大方向と反対側に開放させるか又は上下への拡大分を越えるようにした通過空間を持たせたものとし、
前記両側柵部の腰石及び均し石の後端と、前記後柵部の腰石及び均し石の両端部とには、いずれか一方の内側面に奥に向かって上下いずれかの方向にのみ拡大する拡大係合部を持ったほぞ穴を形成し、他方の端部前端に先端に向かって該ほぞ穴に対応する上下いずれかの方向にのみ拡大する拡大部を持ったほぞを形成し、
かつ対応するほぞ穴を奥に向かって拡大する上下いずれかの拡大方向と反対側に開放させるか又は上下への拡大分を越える余裕を持たせた通過空間を構成し、
各々対応するほぞとほぞ穴を接着剤を介在させて嵌合することで、確保するものとしたものである。
【００１２】
本考案の３は、本考案の２の墓所の外柵に於いて、
前記両親柱の後面の対応する位置及び数のほぞ穴を、下から順に、腰石用ほぞ穴、均し石用ほぞ穴及び羽目石用ほぞ穴とし、かつそれらの底面が奥に向かって下向き傾斜の拡大係合部となり、また天井面及び側面がストレートな横向きであり、これに各対応するほぞを装入した状態で、該ほぞの上面と天井面との間に、該拡大係合部の傾斜最上部と最下部との高さ寸法以上の間隔を持った通過空間を備えたものに形成し、
前記両側柵部の腰石、均し石及び羽目石の各前端のほぞを、前記両親柱の各対応する腰石用ほぞ穴、均し石用ほぞ穴又は羽目石用ほぞ穴の底面の傾斜に対応する傾斜下面を持った拡大部とし、両側面及び上面がストレートであるものに形成し、
前記両側柵部の腰石の後端には、その内面に底面が奥に向かって下向き傾斜の拡大係合部を備え、両側面がストレートで上部開放の通過空間を持ったほぞ穴を形成し、
前記後柵部の腰石の両端には、その下面が、前記側柵部の腰石に形成したほぞ穴の底面に対応する下向き傾斜となる拡大部を持ち、かつ上面が当該の腰石上面から延長するストレートで、両側面もストレートであり、該ほぞ穴に装入した状態で上面が該側柵部の腰石の上面と一致することとなるほぞを形成し、
前記両側柵部の均し石の後端には、上面が後方に向かって上向き傾斜となる拡大部であり、下面が当該の均し石の下面を延長したストレートで、更に両側面がストレートとなるほぞを形成し、
前記後柵部の均し石の両端前面側には、その天井面が該側柵部の均し石のほぞの上面の傾斜に対応する先下がり傾斜の拡大係合部を持ち、両側面がストレートで、下部開放の通過空間を有し、該ほぞを装入させた状態で当該の均し石の上面が該側柵部の均し石の上面と一致することとなるほぞ穴を形成し、
前記両側柵部の羽目石の後端及び前記後柵部の羽目石の両端には、先上がりの傾斜上面を持った拡大部を有し、下面が当該の羽目石の下面を延長したストレートで、両側面もストレートなほぞを形成し、
前記擬宝珠柱の前側面及び内側面には、各々その天井面が前記側柵部又は前記後柵部の羽目石のほぞの上面の傾斜に対応する先下がり傾斜の拡大係合部を有し、両側面がストレートで、下部開放の通過空間を備え、該ほぞを装入させた状態で当該の擬宝珠柱の下面が均し石の上面と一致することとなるほぞ穴を形成し、
前記接着剤として、無収縮モルタルを採用し、これを介在させてそれぞれ対応するほぞをほぞ穴に嵌合して構成したものである。
【考案の効果】
【００１３】
本考案の１の墓所の外柵によれば、ほぞとほぞ穴とは、嵌合させると、それ自体、ほぞ穴の奥に向かって拡大する拡大部と、ほぞの先端に向かって対応する拡大する拡大係合部とが係合することにより、抜け止め作用が働き、これを利用した隣接する石材相互の結合は確実なものとなり、地震等の振動によっても容易に脱落して崩壊するような問題は生じない。また嵌合するほぞとほぞ穴の隙間には接着剤が介在することになるため、このような地震の際にもガタ付きが生ぜず、これに起因するこの部位の損傷の発生の虞も殆どない。更にこの接着剤によりほぞとほぞ穴とによる結合自体も強固なものとなる。また冬季に於いて気温が氷点下に降下する地方に於いても、石材間の水分が凍結するようなことがあっても容易に該石材の移動が生じるようなことはない。
【００１４】
本考案の２の墓所の外柵によれば、ほぞとほぞ穴とは、嵌合させると、本考案の１と同様に、それ自体、ほぞ穴の奥に向かって上下いずれかの方向に拡大する拡大部と、ほぞの先端に向かって対応する上下いずれかの方向に拡大する拡大係合部とが係合することにより、抜け止め作用が働き、これを利用した隣接する石材相互の結合は確実なものとなり、地震等の振動や、冬季の石材間の水分の凍結によっても容易に分離が生じて崩壊したり、移動が生じとりするような問題は生じない。
【００１５】
本考案の３の墓所の外柵によれば、各石材に於けるほぞとほぞ穴の位置や向き等の構成がより合理的なものとなり、組み立てた際の全体としての強度がより強化され、地震等の揺れに対してもより強固なものとなる。
【考案を実施するための最良の形態】
【００１６】
本考案の墓所の外柵は、墓所の境界に沿って複数の石材を配して構成したものであり、それらの複数の石材のそれぞれについて、相互に隣接する石材の一方に先端に向かって拡大する拡大部を備えたほぞを形成し、相互に隣接する他方の石材に該ほぞを嵌合させ得る内部に向かって拡大する拡大係合部を備え、かつその上下又は左右のいずれかの部位に該ほぞの拡大部の通過可能な通過空間を併せて備えたほぞ穴を形成し、各隣接する石材相互を、接着剤を介在させつつ該ほぞと該ほぞ穴とを嵌合することより結合することにしたものである。
【００１７】
墓所の外柵は、種々の構成があり、狭いものであれば、四辺の内、正面を除いた三辺に一重に石材を配列した簡単な構成のものがあり、少し大きくなれば、正面両側隅部に親柱を立設し、両側及び後部に石材を二重、三重に積み重ねた柵部を構成し、場合により、後部両角に擬宝珠柱を立設することもある。本考案は、これらのいずれの場合にでも適用できるのは云うまでもない。
【００１８】
本考案に於いて最も重要なのは、以上の外柵を構成する石材の内、隣接する相互をほぞとほぞ穴とによって結合する嵌合構造にある。本考案で採用するほぞは、先端に向かって拡大する拡大部を備えたものとし、対応するほぞ穴も奥に向かって拡大する拡大係合部を備え、更に該ほぞ穴にはその上下左右のいずれかの部位に前記ほぞの拡大係合部が通過するための通過空間を備えたものとする。こうして該ほぞとほぞ穴とを嵌合させた場合に、ほぞの拡大部とほぞ穴の拡大係合部とが係合することで、相互の結合を確かなものにしようとするものである。また前記通過空間は、ほぞとほぞ穴との結合操作時に、ほぞの拡大部を通過させてほぞ穴に装入嵌合させるための通過経路用の空間であり、前記した通りである。
【００１９】
ほぞの拡大部の拡大方向は、上下方向、上下のいずれか一方、左右方向、左右のいずれか一方又は上下左右方向のいずれかであり、いずれでも採用可能であるが、小型で簡易な構成とする観点からは、上下方向のいずれか一方又は左右方向に拡大する構成が適当である。なおこのとき、拡大部又は拡大係合部のいずれのどの部位にも鋭角な部分が生じないように構成し、損傷を生じ難くするのが好ましい。
【００２０】
以下には、墓所の前両側隅部に各々親柱を、両側部に各々側柵部を、後部に後柵部を、それぞれ配して構成した墓所の外柵を例にとって説明する。このような場合、前記親柱と両側柵部を構成する石材との間、両側柵部を構成する一部の石材と後部両隅部の擬宝珠柱との間、後柵部を構成する一部の石材と擬宝珠柱との間、更には両側柵部を構成する他の石材と後柵部を構成する他の石材との間の各々は、既述のように、拡大部を持ったほぞ及び拡大係合部及び通過空間を備えたほぞ穴を用いて結合することになる。
【００２１】
以下に、ほぞの拡大部の構成を上下方向の一方に拡大する構成とし、ほぞ穴をそれに対応する寸法形状の拡大係合部と前記通過空間とを持った構成として、順次、具体的に説明する。
【００２２】
ここでは、前記両側柵部及び後柵部を、各々下方から腰石、均し石及び羽目石を重ねて構成するものとし、該側柵部の下方の腰石及び均し石は、その後端で該後柵部の腰石及び均し石の両端部とほぞ及びほぞ穴によって結合し、該両側柵部の羽目石の後端及び該後柵部の羽目石の両端は、後部両隅部で均し石上に立ち上げた擬宝珠柱に、各々ほぞ及びほぞ穴によって結合するものとする。即ち、両側柵部の羽目石の後端と後柵部の羽目石の両端とは、擬宝珠柱を介して結合することとする。
【００２３】
前記両親柱の後面と前記両側柵部の腰石、均し石及び羽目石の前端とは、該親柱の後面に下から高さ方向に順に配した腰石、均し石及び羽目石に対応する位置に配するほぞ穴であって、各々奥に向かって上下いずれかの方向にのみ拡大する拡大係合部を有するほぞ穴を形成し、
前記両側柵部の腰石、均し石及び羽目石の前端には、先端に向かって前記親柱のほぞ穴に対応する上下いずれかの方向にのみ拡大する拡大部を備えたほぞを形成し、
更に前記各親柱の各ほぞ穴を奥に向かって拡大する上下いずれかと反対側に開放させるか又は上下への拡大分を越える余裕空間である通過空間を持たせたものとする。
【００２４】
前記両側柵部の羽目石の後端と前記各擬宝珠柱の前側面と、前記後柵部の羽目石の両端部と前記各擬宝珠柱の内側面とは、
前記両擬宝珠柱の前側面及び内側面に各々奥に向かって上下いずれかの方向にのみ拡大する拡大係合部を持ったほぞ穴を形成し、
前記両側柵部の羽目石の後端と、前記後柵部の羽目石の両端部とには、先端に向かって該擬宝珠柱のほぞ穴に対応する上下いずれかの方向にのみ拡大する拡大部を持ったほぞを形成し、
更に前記両擬宝珠柱のほぞ穴を奥に向かって拡大する拡大係合部の上下いずれか拡大する方向と反対側に開放させた通過空間又は上下への拡大分を越えた余裕空間である通過空間を持たせたものとする。
【００２５】
また前記両側柵部の腰石及び均し石の後端と、前記後柵部の腰石及び均し石の各端部とには、いずれか一方の側面に奥に向かって上下いずれかの方向にのみ拡大する拡大係合部を備えたほぞ穴を形成し、他方の端部先端に先端に向かって該ほぞ穴に対応する上下いずれかの方向にのみ拡大する拡大部を備えたほぞを形成し、
更に対応するほぞ穴を奥に向かって拡大する拡大係合部の上下いずれかの拡大方向と反対側に開放させた通過空間又は上下への拡大分を越えるようにした通過空間を持たせたものとする。
【００２６】
以上のほぞとほぞ穴とは、以上のように構成した上で、各々対応する石材のほぞとほぞ穴とを接着剤を介在させながら嵌合することで、本考案の墓所の外柵を構成することができる。
【００２７】
各石材毎に構成すべきほぞ及びほぞ穴の位置及び形状等は、次のように構成するのがより合理的である。
【００２８】
前記両親柱の後面の対応する位置及び数のほぞ穴を、下から順に、腰石用ほぞ穴、均し石用ほぞ穴及び羽目石用ほぞ穴とし、かつそれらの底面が奥に向かって下向き傾斜の拡大係合部となり、また天井面及び側面がストレートな横向きであり、これに各対応するほぞを装入した状態で、該ほぞの上面と天井面との間に、該拡大係合部の傾斜最上部と最下部との高さ寸法以上の間隔を持った通過空間を備えたものに形成する。
また前記両側柵部の腰石、均し石及び羽目石の各前端のほぞを、前記両親柱の各対応する腰石用ほぞ穴、均し石用ほぞ穴又は羽目石用ほぞ穴の底面の傾斜に対応する傾斜下面を持った拡大部とし、両側面及び上面がストレートであるものに形成する。
【００２９】
前記両側柵部の腰石の後端には、その内面に底面が奥に向かって下向き傾斜となっている拡大係合部を有し、両側面がストレートな上部開放の通過空間を持ったほぞ穴を形成し、
前記後柵部の腰石の両端には、その下面が、前記側柵部の腰石に形成したほぞ穴の底面に対応する下向き傾斜を持った拡大部であり、かつ上面が当該の腰石上面から延長するストレートで、両側面もストレートな、該ほぞ穴に装入した状態で上面が該側柵部の腰石の上面と一致することとなるほぞを形成する。
【００３０】
前記両側柵部の均し石の後端には、上面が後方に向かって上向き傾斜な拡大部となり、下面が当該の均し石の下面を延長したストレートで、更に両側面がストレートなほぞを形成し、
前記後柵部の均し石の両端前面側には、その天井面が該側柵部の均し石のほぞの上面の傾斜に対応する先下がりの傾斜を持った拡大係合部となり、両側面がストレートで、下部開放の通過空間を有し、該ほぞを装入させた状態で当該の均し石の上面が該側柵部の均し石の上面と一致することとなるほぞ穴を形成する。
【００３１】
前記両側柵部の羽目石の後端及び前記後柵部の羽目石の両端には、先上がりの傾斜上面による持った拡大部を有し、下面が当該の羽目石の下面を延長したストレートで、両側面もストレートなほぞを形成し、
前記擬宝珠柱の前側面及び内側面には、各々その天井面が前記側柵部又は前記後柵部の羽目石のほぞの上面の傾斜に対応する先下がりの傾斜を持った拡大係合部を有し、両側面がストレートで、下部開放の通過空間を有し、該ほぞを装入させた状態で当該の擬宝珠柱の下面が前記均し石の上面と一致することとなるほぞ穴を形成する。
【００３２】
また前記接着剤としては、無収縮モルタルを採用するのが適当であり、これを介在させてそれぞれ対応するほぞをほぞ穴に嵌合させるのが良い。
【００３３】
従って本考案の墓所の外柵によれば、ほぞとほぞ穴とは、嵌合させると、それ自体、ほぞ穴の奥に向かって上下いずれかの方向に拡大する拡大係合部と、ほぞの先端に向かって対応する上下いずれかの方向に拡大する拡大部とが係合することにより、抜け止め作用が働き、これを利用した隣接する石材相互の結合は確実なものとなり、地震等の振動によっても容易に脱落して崩壊するような問題は生じない。また嵌合するほぞとほぞ穴の隙間には接着剤が介在することになるため、このような地震の際にもガタ付きが生ぜず、これに起因するこの部位の損傷の発生の虞も殆どない。更にこの接着剤によりほぞとほぞ穴とによる結合自体も強固なものとなる。冬季に石材間の水分が凍結するようなことがあっても、これによって石材間の結合が解除されたり、いずれかの石材の移動が生じるようなこともない。
【００３４】
また、前記のように、ほぞとほぞ穴の構成を合理化すれば、各石材に於けるほぞとほぞ穴の位置や向き等の関係のより、組み立てた際の全体としての強度がより高くなり、地震等の揺れに対してもより強固なものとなる。更に組み立て作業も容易でスムーズに行えるものとなる。
【実施例】
【００３５】
この実施例の墓所の外柵は、図６(a)、(b)、(c)に示すように、平面から見て四辺形の墓所の境界に沿って配したものであり、正面両隅部の親柱１、１と、両側の側柵部を構成する下から順に積み上げた脇腰石２、２、脇均し石３、３及び脇羽目石４、４と、背面の後柵部を構成する下から順に積み上げた裏腰石５、裏均し石６及び裏羽目石７と、裏均し石６の両端部上に立ち上げた擬宝珠柱８、８とで構成したものである。
【００３６】
この墓所内には、図６(a)、(b)、(c)に示すように、一般のそれと同様に、中央後部に、下から順に重ねた芝台９、中台１０、上台１１及び棹石１２からなる墓石が立設してあり、その下方には、図示しない納骨室が構成してある。また墓石の前には水鉢１３が設置してあり、その手前側には順に拝石１４、香炉１５及び階段１６が配してある。また拝石１４両側と側柵部との間に中仕切り１７、１７が配してあり、その手前側には敷石１８、１８が敷設してある。
【００３７】
前記正面両隅部の親柱１、１の後面には、図１及び図２(a)、(b)、(c)に示すように、下から順に上方に向かって腰石用ほぞ穴１ａ、均し石用ほぞ穴１ｂ及び羽目石用ほぞ穴１ｃを形成する。各ほぞ穴１ａ、１ｂ、１ｃは、同図に示すように、底面１ａ１、１ｂ１、１ｃ１が奥に向かって下向き傾斜で、天井面及び側面がストレートな横向きに形成する。底面１ａ１、１ｂ１、１ｃ１の下向き傾斜によって下方に拡大する拡大係合部が形成されている。各ほぞ穴１ａ、１ｂ、１ｃは相互に高さ方向の寸法は異なるが、図２(a)、(b)、(c)に示すように、幅は同一とする。
【００３８】
図１に示すように、前記両側柵部の脇腰石２、２、脇均し石３、３及び脇羽目石４、４の各前端には、ほぞ２ａ、２ａ、３ａ、３ａ、４ａ、４ａを形成する。これらのほぞ２ａ、２ａ、３ａ、３ａ、４ａ、４ａは、各々前記両親柱１、１の各対応する腰石用ほぞ穴１ａ、１ａ、均し石用ほぞ穴及び羽目石用ほぞ穴の底面１ａ１、１ｂ１、１ｃ１の傾斜に対応する傾斜下面２ａ１、３ａ１、４ａ１を持ち、図１及び図２(a)、(b)、(c)に示すように、両側面及び上面がストレートで、各対応するほぞ穴に装入した状態で、その上面と装入したほぞ穴の天井面との間に、傾斜下面２ａ１、３ａ１、４ａ１の最上部と最下部との高さ寸法以上の間隔を生じさせる高さ寸法に設定する。
【００３９】
前記ほぞ２ａ、２ａ、３ａ、３ａ、４ａ、４ａは前記傾斜下面２ａ１、３ａ１、４ａ１を構成したことにより、先端に向かって拡大する拡大部を構成している。またその高さ方向の寸法を前記のように設定した結果として、前記各ほぞ穴１ａ、１ｂ、１ｃの内部上方前記通過空間を構成したことになったものである。
【００４０】
従って前記両側柵部の脇腰石２、２、脇均し石３、３及び脇羽目石４、４は、そのほぞ２ａ、２ａ、３ａ、３ａ、４ａ、４ａを、前記正面両隅部の親柱１、１の腰石用ほぞ穴１ａ、均し石用ほぞ穴１ｂ、羽目石用ほぞ穴１ｃに、前者を各々傾斜下面２ａ１、３ａ１、４ａ１の最上部と最下部との高さ寸法を僅かに越えただけ持ち上げ、通過空間を通じて押し込むことにより装入可能であり、下降させれば、前者の拡大部の傾斜下面２ａ１、３ａ１、４ａ１と後者の拡大係合部の下向き傾斜した底面１ａ１、１ｂ１、１ｃ１とが係合して抜け止めとなる。
【００４１】
他方、前記両側柵部の脇腰石２、２の後端には、図３(a)、(b)に示すように、その内面側にほぞ穴２ｂを形成し、前記後柵部の裏腰石５の両端にはほぞ５ａ、５ａを形成する。
【００４２】
前記脇腰石２、２のほぞ穴２ｂは、同図に示すように、底面２ｂ１が奥に向かって下向き傾斜で、両側面がストレートな上部開放に形成する。前記下向き傾斜の底面２ｂ１によって前記係合拡大部が構成され、上部開放の構成が前記通過空間となる。また前記裏腰石５の両端のほぞ５ａ、５ａは、同様に同図に示すように、その下面５ａ１を前記脇腰石２、２に形成したほぞ穴２ｂの底面２ｂ１に対応する下向き傾斜に形成し、更にその上面は当該の裏腰石５の上面から延長するストレートであり、かつ両側面もストレートな構成とする。なお前記下向き傾斜の下面５ａ１によって先端に向かって拡大する拡大部が構成される。また該ほぞ５ａ、５ａは、前記脇腰石２、２のほぞ穴２ｂに装入した状態で上面が該脇腰石２、２の上面と一致することとなるようにその高さ寸法を設定する。
【００４３】
従って前記裏腰石５は、その両側のほぞ５ａ、５ａを、予め両側の所定の位置に配してある脇腰石２、２のほぞ穴２ｂ、２ｂに、前者をほぞ５ａ、５ａの下面５ａ１の最上部と最下部との高さ寸法を越えた分以上に持ち上げることにより、通過空間を通じて押し込むことが可能となり、下降させれば、前者の拡大部の下面５ａ１、５ａ１と後者の下向き傾斜した拡大係合部の底面２ｂ１、２ｂ１とが係合して抜け止めとなる。
【００４４】
図４(a)、(b)に示すように、前記両側柵部の脇均し石３、３の後端にはそのまま後方に延長するほぞ３ｂを形成し、前記後柵部の裏均し石６の両端前面側には、同図に示すように、ほぞ穴６ａ、６ａを形成する。
【００４５】
前記脇均し石３、３の後端のほぞ３ｂは、同図に示すように、上面３ｂ１が後方に向かって上向き傾斜し、下面が当該の脇均し石３、３の下面を延長したストレートで、更に両側面もストレートに形成する。前記上面３ｂ１の上向き傾斜が後端に向かう拡大部を構成する。また前記裏均し石６の二つのほぞ穴６ａ、６ａは、同図に示すように、その天井面６ａ１が前記脇均し石３、３のほぞ３ｂ、３ｂの上面３ｂ１の傾斜に対応する先下がりの傾斜を持ち、両側面がストレートで、該ほぞ３ｂ、３ｂを装入させた状態で当該の裏均し石６の上面が該脇均し石３、３の上面と一致することとなるように形成する。前記天井面６ａ１の先下がりの傾斜が内部に向かって拡大する拡大係合部を構成する。また該ほぞ穴６ａ、６ａは、下部開放の通過空間を有するものである。
【００４６】
従って前記裏均し石６は、その両側のほぞ穴６ａ、６ａを、予め両側の所定の位置に配してある脇均し石３、３のほぞ３ｂ、３ｂに、前者をほぞ穴６ａ、６ａの天井面６ａ１の最上部と最下部との高さ寸法を越えた分以上に持ち上げた上で下降させると、下部開放の通過空間を通じて、容易に外装嵌合可能であり、このようにして相互を嵌合させると、前者の拡大係合部の天井面６ａ１と後者の拡大部の上面３ｂ１とが係合して水平方向の抜け止めとなる。
【００４７】
図５(a)、(b)に示すように、前記両側柵部の脇羽目石４、４の後端及び前記後柵部の裏羽目石７の両端には、各々同寸法形状の各々ほぞ４ｂ、４ｂ、７ａ、７ａを形成し、前記擬宝珠柱８、８の前側面及び内側面には、各々対応する寸法形状のほぞ穴８ａ、８ａを形成する。
【００４８】
前記脇羽目石４、４及び前記裏羽目石７のほぞ４ｂ、４ｂ、７ａ、７ａは、同図に示すように、先上がりの傾斜上面７ａ１（４ｂ１）を持ち、下面が当該の脇羽目石４、４又は裏羽目石７の下面を延長したストレートで、両側面もストレートであるように形成する。前記傾斜上面７ａ１（４ｂ１）が先端に向かって拡大する拡大部を構成する。また前記擬宝珠柱８、８のほぞ穴８ａ、８ａは、同図に示すように、各々その天井面８ａ１が前記裏羽目石７又は脇羽目石４、４のほぞ７ａ、７ａ、４ｂ、４ｂの上面７ａ１、７ａ１（４ｂ１、４ｂ１）の傾斜に対応する先下がりの傾斜を持ち、両側面がストレートで、該ほぞ７ａ、７ａ、４ｂ、４ｂを装入嵌合させた状態で当該の擬宝珠柱８、８の下面が前記裏均し石６の上面、前記脇羽目石４ｂ、４ｂ及び裏羽目石７ａ、７ａの下面と一致することとなるように形成する。前記天井面８ａ１の先下がりの傾斜が、内部に向かって拡大する拡大係合部を構成する。また該ほぞ穴８ａ、８ａは、同図に示すように、下部開放の通過空間を備えている。
【００４９】
従って前記擬宝珠柱８、８は、その各前側面と内側面のほぞ穴８ａ、８ａを、予め両側の所定の位置に配してある脇羽目石４、４と後部の所定の位置に配してある裏羽目石７のの各ほぞ４ｂ、４ｂ、７ａ、７ａに、前者をそのほぞ穴８ａ、８ａの天井面８ａ１の最上部と最下部との高さ寸法を越えた分以上に持ち上げた上で下降させると、通過空間を通じて、容易に外装嵌合可能であり、このようにして相互を嵌合させると、前者の拡大係合部の天井面８ａ１と後者の拡大部の上面７ａ１、４ａ１とが係合して水平方向の抜け止めとなる。
【００５０】
この実施例では、墓所の外柵を以上のように構成したので、その組立築造を容易に行うことができる。
【００５１】
図６(a)、(b)、(c)に示すように、正面両隅部の基礎上に前記親柱１、１をセットし、その後、図１に示すように、両側部に前記脇腰石２、２を配し、前記したようにして、該脇腰石２、２の先端のほぞ２ａを該親柱１、１の腰石用ほぞ穴１ａ、１ａに嵌合させる。次いで前記裏腰石５を後部に配し、図３に示し、かつ前記したようにして、その両端のほぞ５ａ、５ａを前記脇腰石２、２の後端内面のほぞ穴２ｂに嵌合させる。
【００５２】
続いて、図１に示すように、前記脇均し石３、３を両側部の脇腰石２、２上に配しながら、前記したようにして、その前端のほぞ３ａ、３ａを前記親柱１、１の均し石用ほぞ穴１ｂ、１ｂに嵌合させる。その後、裏均し石６を後部の裏腰石５上に配する。該裏均し石６の両端のほぞ穴６ａ、６ａは、図４に示し、先に述べたようにして、両脇均し石３、３の後端のほぞ３ｂ、３ｂに嵌合する。
【００５３】
その後、図１に示すように、両側部の脇均し石３、３上に各々脇羽目石４、４をセットする。その前端のほぞ４ａ、４ａは、図１に示し、先に述べたようにして、両親柱１、１の羽目石用ほぞ穴１ｃ、１ｃに嵌合する。これと同時に、又はその前後に、裏羽目石７を後部の裏均し石５上に配する。この裏均し石７は、後部の後柵部の中心に位置するように位置決めをして配する。
【００５４】
この後、後部両隅部に擬宝珠柱８、８を配する。前記のようにして配すれば、該擬宝珠柱８、８のほぞ穴８ａ、８ａ…に、前記脇羽目石４、４の後端のほぞ４ｂ、４ｂ及び裏羽目石７の両端のほぞ７ａ、７ａが良好に嵌合することになる。
【００５５】
以上の各石材間及びほぞとほぞ穴との嵌合は、その間に無収縮モルタルを介在させて行う。石材間には、下方の石材上に適量の無収縮モルタルを配することで介在させ、ほぞとほぞ穴間には、ほぞ穴に適量の無収縮モルタルを充填してから嵌合操作を行うことで介在させる。
【００５６】
従ってこの実施例の墓所の外柵によれば、各ほぞとほぞ穴とは、強固に結合し、容易に抜けることがなく、これを利用した隣接する石材相互の結合は確実なものとなり、地震等の振動によっても容易に分離して崩壊するような問題は生じない。また嵌合するほぞとほぞ穴の隙間には無収縮モルタルが介在しているため、このような地震の際にもガタ付きが生ぜず、これに起因するこの部位の損傷の発生の虞も殆どない。更にこの無収縮モルタルによりほぞとほぞ穴とによる結合自体も強固なものとなる。冬季に石材間に介在することのある水分が凍結しても、石材の結合が強固であるため、これらが移動するような問題が生じることはない。水分は、このような場合、結果として、凍結時に膨張可能な位置に移動しながら凍結することになる。
【００５７】
また、前記のように、ほぞとほぞ穴の構成が合理化されているので、各石材に於けるほぞとほぞ穴の位置や向き等の関係のより、組み立てた際の全体としての強度がより高くなり、地震等の揺れに対してもより強固なものとなっている。更に組み立て作業も容易でスムーズに行えるものである。
【図面の簡単な説明】
【００５８】
【図１】親柱と側柵部の脇腰石、脇均し石及び脇羽目石との結合部を示す縦断面図。
【図２】(a)は図１のＡ−Ａ線断面図、(b)は図１のＢ−Ｂ線断面図、(c)は図１のＣ−Ｃ線断面図。
【図３】(a)脇腰石と裏腰石との結合部を示す平面図、(b)は(a)のＤ−Ｄ線断面図。
【図４】(a)は脇均し石と裏均し石との結合部を示す平面図、(b)は(a)のＥ−Ｅ線断面図。
【図５】(a)は裏羽目石と擬宝珠柱との結合部を示す縦断面図、(b)は(a)のＦ−Ｆ線断面図。
【図６】(a)は墓所の概略平面図、(b)は墓所の概略正面図、(c)は墓所の概略右側面図。
【符号の説明】
【００５９】
１    親柱
１ａ１、１ｂ１、１ｃ１  底面
１ａ  腰石用ほぞ穴
１ｂ  均し石用ほぞ穴
１ｂ１  底面
１ｃ  羽目石用ほぞ穴
１ｃ１  底面
２    脇腰石
２ａ  ほぞ
２ａ１  傾斜下面
２ｂ  ほぞ穴
２ｂ１  底面
３    脇均し石
３ａ  ほぞ
３ａ１  傾斜下面
３ｂ  ほぞ
３ｂ１  上面
４    脇羽目石
４ａ  ほぞ
４ａ１  傾斜下面
４ｂ  ほぞ
４ｂ１  傾斜上面
５    裏腰石
５ａ  ほぞ
５ａ１  下面
６    裏均し石
６ａ  ほぞ穴
６ａ１  天井面
７    裏羽目石
７ａ  ほぞ
７ａ１  傾斜上面
８    擬宝珠柱
８ａ  ほぞ穴
８ａ１  天井面
９    芝台
１０  中台
１１  上台
１２  棹石
１３  水鉢
１４  拝石
１５  香炉
１６  階段
１７  中仕切り
１８  敷石
【図１】
0003119743.tif 000003
【図２】
0003119743.tif 000004
【図３】
0003119743.tif 000005
【図４】
0003119743.tif 000006
【図５】
0003119743.tif 000007
【図６】
0003119743.tif 000008